(57)【要約】      （修正有）【課題】一台のマッサージ器によって、人の手を借りることなく、かつ、不自然な姿勢を強いられることなく、使用者自らが自分の背中に対して指圧マッサージとローリングマッサージとの両方を良好に施すことができるマッサージ器を提供する。【解決手段】人の肩に跨る形状に屈曲する屈曲部３２を有するアーム３１の一端側にグリップ５１を設け、別の一端側にローラ１１を設け、ローラ１１によって使用者が自ら自分の背中に指圧マッサージ及びローリングマッサージを施すことができるようにする。つまりローラ１１の軸１４からアーム３１が延びる方向に沿った第１の仮想直線Ｌ１に対して、グリップ５１の位置でのアーム３１の中心軸を含む第２の仮想直線Ｌ２がなす角度を０度よりも大きく９０度よりも小さい角度にし、第１の仮想直線Ｌ１を含む面と平行な面上でローラ１１の外周面をアーム３１よりも屈曲部３２の内側方向に位置付ける。【選択図】図３
0003202982.tif 000002
【実用新案登録請求の範囲】
【請求項１】
人の肩に跨る形状に屈曲する屈曲部を有するアームと、
前記アームの一端側に設けられたグリップと、
前記アームの別の一端側に位置させて前記屈曲部の屈曲方向と直交する軸周りに回転自在に設けられたローラと、
を備え、
前記ローラの回転軸から前記アームが延びる方向に沿った第１の仮想直線に対して、前記グリップの位置での前記アームの中心軸を含む第２の仮想直線がなす角度を０度よりも大きく９０度よりも小さい角度にし、
前記第１の仮想直線を含む面と平行な面上で前記ローラの外周面を前記アームよりも前記屈曲部の内側方向に位置付ける、
ことを特徴とするマッサージ器。
【請求項２】
前記アームは、少なくとも前記屈曲部の位置に弾性を有し、
前記アームが使用限界までたわんだ状態で、前記第１の仮想直線と前記第２の仮想直線とがなす角度を０度よりも大きく９０度よりも小さい角度にする、
ことを特徴とする請求項１に記載のマッサージ器。
【請求項３】
前記第１の仮想直線と前記第２の仮想直線とがなす角度は、４５度プラスマイナス２２．５度の範囲である、
ことを特徴とする請求項１又は２に記載のマッサージ器。
【請求項４】
前記ローラの軸の位置で前記第１の仮想直線と直交する線上に前記グリップを配置する、
ことを特徴とする請求項１ないし３のいずれか一に記載のマッサージ器。
【請求項５】
前記ローラは、表面に凹凸部を有している、
ことを特徴とする請求項１ないし４のいずれか一に記載のマッサージ器。
【請求項６】
前記凹凸部は、前記ローラの軸方向に沿う突条及び溝によって形成されている、
ことを特徴とする請求項５に記載のマッサージ器。
【考案の詳細な説明】
【技術分野】
【０００１】
本考案は、主に背中のマッサージに適したマッサージ器に関する。
【背景技術】
【０００２】
電動マッサージチェアなどの大掛かりな装置を用いることなく、簡易に背中をマッサージすることができる器具として、例えば特許文献１に記載されているようなマッサージ器が従来から知られている。
このようなマッサージ器は、湾曲したアームの一端にグリップを取り付け、別の一端に指圧部を設けている。グリップを握ってアームを肩に掛けるようにし、例えば肩甲骨の周辺などのマッサージを必要とする部位に指圧部を当てた状態でグリップを引っ張れば、指圧部が背中に押し当てられ、使用者は自ら自分の背中に指圧マッサージを施すことができるわけである。
このような特許文献１に記載されている類のマッサージ器は古来より実用化され、人の手を借りずに手が届かない背中を指圧マッサージすることができる重宝な器具として、広く普及している。
【０００３】
特許文献１に記載されているマッサージ器は、アームの別の一端に指圧部（特許文献１ではマグネット２）を直接取り付けているわけではなく、ゴム製の球（特許文献１ではゴム球４）を介して間接的に取り付けている。つまりアームの別の一端にゴム球を固定し、ゴム球に指圧部を固定しているわけである。
このような構造にすることによって、使用者は、グリップを握ってゴム球で自分の肩を叩く肩叩きも行うこともできる。
【０００４】
マッサージの手法としては、指圧の他にも様々な手法が普及している。
その一つにローリングマッサージがある。
この手法は、身体の部位にローラなどを当てて転がすマッサージの手法である。指圧マッサージが径穴（つぼ）を刺激する手法であるのに対して、ローリングマッサージは筋肉を柔らかくして血行の促進を図ったり、リンパの流れを整えたり、皮膚に刺激を与えて代謝を促したりする。
【０００５】
このようなローリングマッサージに使用する器具としては、例えば特許文献２に開示されているようなマッサージ器がある。
このマッサージ器は、グリップを有するベースに四つのローラを回転自在に取り付けたもので、使用者はグリップを握ってマッサージを欲する身体の部位にローラを押し付け、そのままベースを往復動作させる。これによって皮膚の上をローラが転がり、筋肉の緊張や凝りをほぐし、皮膚に適度な刺激が与えることができる。
【０００６】
また特許文献２に記載されているマッサージ器は、ベースにハンドルを取り付けてローラが届く範囲を拡大することができる。特許文献２には、ベースにハンドルを取り付けた際、人の手を借りることなく自分の背中をマッサージしている様子が図示されている（特許文献２の［００１０］及び図７参照）。
ベースにハンドルを取り付けてローラが届く範囲を拡大した状態の特許文献２に記載のマッサージ器に類似するものは、特許文献３にも記載されている。このマッサージ器は、アームの先端部にローラを回転自在に設けたものである。
【０００７】
ローリングマッサージ用のマッサージ器のもう一つの利点は、クリーム状やオイル状になった各種の化粧剤や薬剤をローラに塗って使用すれば、それらの化粧剤や薬剤を皮膚に塗布することができることである（特許文献４の段落［００２４］〜［００２５］参照）。
用いる化粧剤や薬剤によっては、筋肉の緊張緩和や皮膚の代謝改善などの効能をより一層高めることが可能になる。
【先行技術文献】
【特許文献】
【０００８】
【特許文献１】特開２０１２−  ９５９８２号公報
【特許文献２】実用新案登録第３１２７３６６号公報
【特許文献３】特開２０００−１５７５９１号公報
【特許文献４】特開２００４−１９５２５５号公報
【考案の概要】
【考案が解決しようとする課題】
【０００９】
（１）第１の課題
特許文献１に記載されているような指圧マッサージ用のマッサージ器によれば、その使用者は人の手を借りることなく自分の背中に自ら指圧マッサージを施すことができる。
特許文献２記載されているマッサージ器は、ベースにアームを取り付けてローラの届く範囲を拡大することで、人の手を借りることなく自分の背中をローリングマッサージすることを謳っている（特許文献２の［００１０］及び図７参照）。この点については、特許文献３に記載されているマッサージ器も同様のことができるのではないかと推察される。
ところが特許文献１、２、３のいずれに記載されたマッサージ器にあっても、指圧マッサージとローリングマッサージとの両方を一台の機器によって行うことはできない。これらのマッサージ器は、指圧マッサージ用（特許文献１）とローリングマッサージ用（特許文献２、３）とに明確に役割分担され、これらの二種類のマッサージに兼用して使用できるようには考慮されていないからである。
これが第１の課題である。
【００１０】
（２）第２の課題
特許文献２、３に記載されているマッサージ器を使って使用者自らが自分の背中をローリングマッサージしようとする場合には、マッサージ器を握っている方の腕を上げてローラを背中に押し当て、この状態からさらに腕を後ろに回してローラを背中に押し付けるようにして転がさなければならない。
ところがこのような姿勢は人間にとって不自然であり、人間の骨格上、力が入りにくい姿勢であるといわざるを得ない。このため到底効果的にマッサージを行うことはできないはずである。
また体の硬い高齢者や四十肩五十肩を患っている者は、このような姿勢をとること自体が困難である。このためこのような者たちにとっては、特許文献２、３に記載されているマッサージ器を使って自ら自分の背中をローリングマッサージすることは、事実上不可能であるといえよう。
したがって理屈の上ではともかく、実際上は特許文献２、３に記載されているマッサージ器を使って使用者が自ら自分の背中にローリングマッサージを施すことは困難であり、非現実的な行為であるといえよう。
これが第２の課題である。
【００１１】
本考案は、このような点に鑑みなされたもので、一台のマッサージ器によって、人の手を借りることなく、かつ、不自然な姿勢を強いられることなく、使用者自らが自分の背中に対して指圧マッサージとローリングマッサージとの両方を良好に施すことができるようにすることを目的とする。
【課題を解決するための手段】
【００１２】
本考案のマッサージ器は、人の肩に跨る形状に屈曲する屈曲部を有するアームと、前記アームの一端側に設けられたグリップと、前記アームの別の一端側に位置させて前記屈曲部の屈曲方向と直交する軸周りに回転自在に設けられたローラと、を備え、前記ローラの回転軸から前記アームが延びる方向に沿った第１の仮想直線に対して、前記グリップの位置での前記アームの中心軸を含む第２の仮想直線がなす角度を０度よりも大きく９０度よりも小さい角度にし、前記第１の仮想直線を含む面と平行な面上で前記ローラの外周面を前記アームよりも前記屈曲部の内側方向に位置付ける、ことによって上記課題を解決する。
【考案の効果】
【００１３】
本考案によれば、肩甲骨などの手が届かない部位についても、ローラを転がして行うローリングマッサージと経穴（つぼ）などにローラを押し付けて行う指圧マッサージとの両方を使用者が自ら自分の身体に施すことができ、またクリーム状やオイル状になった各種の化粧剤や薬剤などをローラの表面に付着させて転がすことで、背中などの手が届かない部位にもそれらの化粧剤や薬剤などを塗布することができる。
【図面の簡単な説明】
【００１４】
【図１】実施の一形態を示すマッサージ器の斜視図。
【図２】その正面図。
【図３】その側面図。
【図４】背中に対する第１の仮想直線（ローラの回転軸からアームが延びる方向に沿った直線）の接触角度に応じたローラに作用する力の方向を示す図で、（ａ）は第１の仮想直線が背中と平行なときの力の方向、（ｂ）は第１の仮想直線が背中に直交するときの力の方向、（ｃ）は第１の仮想直線が身体に対して斜め上方を向いているときの力の方向、（ｄ）は第１の仮想直線が身体に対して斜め下方を向いているときの力の方向をそれぞれ示す模式図。
【図５】第１の仮想直線を背中と平行にしてマッサージをする際の使用態様の一例として、（ａ）は第１の仮想直線に対する第２の仮想直線（グリップの位置でのアームの中心軸を含む直線）のなす角度が４５度である場合、（ｂ）はその角度が９０度である場合、（ｃ）はその角度が０度である場合、（ｄ）はその角度が０度よりも僅かに大きい場合及び９０度よりも僅かに小さい場合をそれぞれ示す模式図。
【図６】第１の仮想直線及び第２の仮想直線の概念を説明するために用いるマッサージ器の変形例を示す側面図。
【図７】第１の仮想直線及び第２の仮想直線の概念を説明するために用いるマッサージ器の別の変形例を示す側面図。
【考案を実施するための形態】
【００１５】
実施の一形態を図面に基づいて説明する。
説明は次の項目にしたがって行う。
１．概要
２．構成
（１）全体構成
（２）第１の仮想直線と第２の仮想直線
（３）背中に対する第１の仮想直線のなす角度
（４）第１の仮想直線と第２の仮想直線とのなす角度
（５）グリップの位置
（６）第１の仮想直線と第２の仮想直線との意義
（７）各部の理想的な配置条件
３．作用効果
４．変形例
【００１６】
１．概要
図１に示すように、本実施の形態のマッサージ器１は先端部にローラ１１を回転自在に有しており、ローラ１１を使用して指圧マッサージ及びローリングマッサージのいずれをも身体に施すことができる。
特長的な点は、これらの二種類の手法のマッサージを、人の手を借りることなく使用者が自ら自分の背中Ｂ（図４（ａ）〜（ｄ）、図５（ａ）〜（ｄ）参照）に対して施すことができることにある。
もちろん背中Ｂばかりでなく、身体のあらゆる部位に指圧マッサージ及びローリングマッサージを施すこともでき、その他にも肩叩き用の器具としても用いることができる。
またクリーム状やオイル状になった各種の化粧剤や薬剤などをローラ１１の表面に付着させて転がすことで、背中Ｂなどの手が届かない部位にもそれらの化粧剤や薬剤などを塗布することができる。
【００１７】
２．構成
（１）全体構成
図１〜図３に示すように、本実施の形態のマッサージ器１は、湾曲したアーム３１の一端側にグリップ５１を備え、先端側となる別の一端側にローラ１１を取り付けている。
ローラ１１は、アーム３１の屈曲方向と直交し、かつ、グリップ５１の部分におけるアーム３１の軸方向と直行する軸周りに回転自在である。つまりグリップ５１を握ってアーム３１の屈曲した部分を肩Ｓに掛けるようにしてローラ１１を背中Ｂに当てた姿勢で（図４（ａ）〜（ｄ）、図５（ａ）〜（ｄ）参照）、背中Ｂと平行な水平軸の周りに回転自在となっている。したがってローラ１１は、背中Ｂに沿って上下にローリングする。
【００１８】
アーム３１は人の肩Ｓ（図４（ａ）〜（ｄ）、図５（ａ）〜（ｄ）参照）に跨る形状に屈曲する屈曲部３２を有している。屈曲部３２の屈曲形状に関しては様々な形状を採用することができるが、本実施の形態では曲線状に屈曲する湾曲形状を採用している。
アーム３１は二つの部材の組み合わせによって形成されている。
一つはアーム基体３３で、これがアーム３１の基本的な構造体となる。アーム基体３３は屈曲部３２を有している。
もう一つはアーム基体３３の先端部に取り付けられたローラ支持部３４である。ローラ支持部３４はローラ１１を回転自在に支持するもので、一端側の連結部３５がアーム基体３３に固定され、別の一端側に二股に分かれた支持体３６を有している。支持体３６にはローラ１１が回転自在に取り付けられている。
【００１９】
このようなアーム３１は、適度な弾性を持たされている。
適度な弾性というのは、グリップ５１を握ってローラ１１を身体の部位、例えば背中Ｂに押し付けた際、操作感よく適度な指圧効果を生じさせる程度の弾性である。弾性変形の度合いが大きすぎると指圧効果が薄れるし、反対に弾性変形の度合いが少なすぎると操作感が損なわれる。適度な弾性の程度は、指圧効果と操作感とを共に満足させ得るという観点から決定される。
アーム３１において弾性を有するのは、アーム基体３３の部分のみでも、ローラ支持部３４の部分のみでも、アーム基体３３とローラ支持部３４との両方でもよい。
【００２０】
アーム基体３３とローラ支持部３４との間の連結固定は、例えばねじ、圧入、溶着、溶接などの各種の固定又は固着の手法によって実現される。
またアーム基体３３とローラ支持部３４とは各種の金属や樹脂などを材料として形成され、この場合、中空の部材によって形成されていても、中実の部材によって形成されていても、いずれでもよい。
例えばアーム基体３３の少なくともローラ支持部３４との連結部分が中空のパイプ状部材によって形成されている場合、ローラ支持部３４は、その連結部３５をアーム基体３３の中空部分にねじ止めしたり、圧入固定したりすることができる。
またアーム基体３３とローラ支持部３４とが共に樹脂材料である場合、溶着によって両者を固着することができる。
あるいはアーム基体３３とローラ支持部３４とが共に金属材料である場合、溶接によって両者を固着することができる。
【００２１】
グリップ５１は、例えばアーム基体３３の端部に被されたゴムや樹脂等の部材である。
人が把持するのに適した構造のもので、表面に滑り止め（図示せず）を形成している。滑り止めには、突状のものや溝状のものなど、各種の構造を採用することができる。
【００２２】
ローラ１１は、円柱形状をしたローラ基体１２を基本構造体とし、両端面に装着孔（図示せず）を設け、外周面に指圧体１３を取り付けたものである。
ローラ基体１２は、中央部分が両端部分よりもやや膨らんだ太鼓形状を有している。このようなローラ基体１２は単一構造物であってもよく、例えば円筒状の外周部材の両端を一対のキャップで覆った複合構造物であってもよい。
図示しない装着孔は、ローラ支持部３４の支持体３６にローラ１１を取り付けるための構造物で、例えば装着孔に貫通させた軸１４を支持体３６に固定することによって、ローラ支持部３４にローラ１１を回転自在に取り付けることができる。あるいは二股に分岐する支持体３６が備える一対の片のそれぞれに軸（図示せず）を突出させておき、これらの軸をローラ基体１２の装着孔に嵌合させることで、ローラ支持部３４にローラ１１を回転自在に取り付けるようにしてもよい。これらの軸１４（軸）は、ローラ１１の回転軸となる。
指圧体１３はローラ基体１２に巻き付けられて固定されるシート形状のもので、表面、つまりローラ１１の外周面となる部分に凹凸部１５を有している。凹凸部は、複数個の突条１５ａと溝１５ｂとの繰り返し形状を有するもので、これらの突条１５ａと溝１５ｂとは、ローラ基体１２の軸方向に沿って形成されている。
このようなローラ１１は、指圧体１３が固定された状態でもローラ基体１２の基本形状を踏襲し、両端部分よりも中央部分がやや膨らんだ太鼓形状を有している。
【００２３】
ローラ１１の材料としては、樹脂、ゴム、金属、繊維などの各種の材料を用いることができる。
例えばローラ基体１２には、樹脂、ゴム、金属のいずれを用いてもよい。
これに対して指圧体１３は、マッサージに際して、間接的のみならず直接的に皮膚に接触することもあるものなので、人間に不快な刺激を与えない材料によって形成することが望ましい。例えばゴムや繊維などのように、ある程度の弾力性を帯びた材料の使用が好適である。もちろん、皮膚に接触した際に不快感を与えないような材質であるか、そのような処理が施されているのであれば、樹脂や金属を指圧体１３として用いることも可能である。
【００２４】
このようなローラ１１は、指圧マッサージに際して指圧体１３の部分が指圧子として用いられる。
したがって寸法や重量などの仕様は、指圧子として用いるのに適した値に設定される。
この観点から、ローラ１１の幅及び直径は、一例として２０ｍｍ〜４０ｍｍ程度であることが望ましい。
ローラ１１の重量に関しては、指圧マッサージのみならず、ローリングマッサージや肩叩きに際しての使用感も考慮すると、ある程度大きい方がよい。つまりローラ１１はある程度重い方がよいわけである。
例えばローラ１１の幅及び直径を上記寸法範囲で設定した場合、ローラ基体１２の材料をゴムにしたり、内部に金属を充填したりすることで、適度な重量のローラ１１を得ることができる。
もっともローラ１１の重量に関しては、絶対的な重さのみならず、重量感も大切である。重量感を持たせるには、ローラ１１と他の部分との重さのバランスを考慮しなければならない。
【００２５】
（２）第１の仮想直線と第２の仮想直線
本実施の形態のマッサージ器１では、アーム３１の屈曲部３２が屈曲する角度、そしてグリップ５１とローラ１１との配置関係が重要である。
これらの事象を説明するために、本実施の形態では第１の仮想直線Ｌ１と第２の仮想直線Ｌ２という概念を創設する。これらの第１の仮想直線Ｌ１及び第２の仮想直線Ｌ２は概念的なものであり、構造物として存在するものではない。
図３に示すように、第１の仮想直線Ｌ１は、ローラ１１の回転軸である軸１４からアーム３１が延びる方向に沿った仮想的な線である。また第２の仮想直線Ｌ２は、グリップ５１の位置でのアーム３１の中心軸を含む仮想的な直線である。
【００２６】
（３）背中に対する第１の仮想直線のなす角度
図４（ａ）〜（ｄ）は、背中Ｂをマッサージする際における、背中Ｂに対する第１の仮想直線Ｌ１の接触角度に応じたローラ１１に作用する力Ｖの方向を示している。いずれもグリップ５１をＡ方向に押し出すことを想定している。
【００２７】
図４（ａ）は、第１の仮想直線Ｌ１が背中に対して０度、つまり平行なときの様子を示している。このときローラ１１に作用する力Ｖは、背中Ｂと垂直の方向に働く。
したがって指圧マッサージをする際、意に反してローラ１１が転がってしまうようなことがなく、不都合なくローラ１１を指圧子として用いることができる理想的な角度であるといえる。
【００２８】
図４（ｂ）は、第１の仮想直線Ｌ１が背中に直交するときの様子を示している。このときローラ１１に作用する力Ｖは、基本的には背中Ｂと垂直の方向に働くが、少しでも第１の仮想直線Ｌ１の角度が変動すると、ローラ１１を上方向又は下方向に転がしてしまう方向に変動してしまう。つまり第１の仮想直線Ｌ１が身体に対して斜め上方向を向くように変動すると、ローラ１１は上方向に転がってしまう。反対に、第１の仮想直線Ｌ１が身体に対して斜め下方向を向くように変動すると、ローラ１１は下方向に転がってしまうのである。
したがって指圧マッサージをする際、意に反してローラ１１が転がってしまいやすく、ローラ１１を指圧子として用いるのには適さない角度であるといえる。
【００２９】
図４（ｃ）は、第１の仮想直線Ｌ１が身体に対して斜め上方を向いているときの様子を示している。このときローラ１１に作用する力Ｖの方向は、ローラ１１を下方向に転がしてしまう方向である。
したがって指圧マッサージをする際、ローラ１１が転がってしまいやすく、ローラ１１を指圧子として用いるのには適さない角度であるといえる。
【００３０】
図４（ｄ）は、第１の仮想直線Ｌ１が身体に対して斜め下方を向いているときの様子を示している。このときローラ１１に作用する力Ｖの方向は、ローラ１１を上方向に転がしてしまう方向である。
したがって指圧マッサージをする際、ローラ１１が転がってしまいやすく、ローラ１１を指圧子として用いるのには適さない角度であるといえる。
【００３１】
以上より、背中Ｂに対する第１の仮想直線Ｌ１のなす角度は０度、つまり背中Ｂと平行であることが望ましいことがわかる。
【００３２】
（４）第１の仮想直線と第２の仮想直線とのなす角度
図５（ａ）〜（ｄ）は、第１の仮想直線Ｌ１を背中Ｂと平行にしてマッサージをする際の使用態様の一例を示している。いずれもグリップ５１を胸から離すＡ方向に押し出すことを想定しており、そうすることで背中Ｂに押し当てたローラ１１が肩甲骨に食い込み、良好な指圧作用を奏する。
【００３３】
図５（ａ）は、第１の仮想直線Ｌ１に対する第２の仮想直線Ｌ２のなす角度が４５度である場合の一例を示している（図３参照）。
この場合、下方に向けて身体から離れる方向にグリップ５１が傾斜するので、人間の骨格上、Ａ方向に押し出す際の手首と肘と腕の角度が自然な状態になり、良好な操作感が得られる。
【００３４】
図５（ｂ）は、第１の仮想直線Ｌ１に対する第２の仮想直線Ｌ２のなす角度が０度である場合の一例を示している。
この場合、グリップ５１が垂直状態になるので、人間の骨格上、Ａ方向に押し出す際の手首と肘と腕の角度が不自然な状態になり、操作感が悪い。
特に上腕に大きな負担がかかるため、どうしても腕を上方に傾けがちになりやすく、そうするとグリップ５１が上がってローラ１１が上方に転がり、背中Ｂから外れがちになってしまう。
【００３５】
図５（ｃ）は、第１の仮想直線Ｌ１に対する第２の仮想直線Ｌ２のなす角度が９０度である場合の一例を示している。
この場合、グリップ５１が水平状態になるので、人間の骨格上、Ａ方向に押し出す際の手首と肘と腕の角度が不自然な状態になり、操作感が悪い。
特に手首に大きな負担がかかるため、どうしても手首を下方に傾けがちになりやすく、そうするとグリップ５１が下がってローラ１１が上方に転がり、背中Ｂから外れがちになってしまう。
【００３６】
図５（ｄ）は、第１の仮想直線Ｌ１に対する第２の仮想直線Ｌ２のなす角度が０度よりも僅かに大きい場合と（一点鎖線で示す）、９０度よりも僅かに小さい場合（二点鎖線で示す）との一例を示している。
第１の仮想直線Ｌ１に対する第２の仮想直線Ｌ２のなす角度が０度よりも僅かでも大きければ（一点鎖線で示す）、グリップ５１は下方に向けて身体から離れる方向に傾斜するので、人間の骨格上、Ａ方向に押し出す際の手首と肘と腕の角度が自然な状態になり、良好な操作感が得られる。
また第１の仮想直線Ｌ１に対する第２の仮想直線Ｌ２のなす角度が９０度よりも僅かでも小さければ（二点鎖線で示す）、グリップ５１は下方に向けて身体から離れる方向に傾斜するので、人間の骨格上、Ａ方向に押し出す際の手首と肘と腕の角度が自然な状態になり、良好な操作感が得られる。
もっともグリップ５１をＡ方向に押し出す際の手首と肘と腕の角度が最も自然な状態になるのは、グリップ５１の角度が４５度前後の場合である。したがって理想的には、グリップ５１の角度は４５度プラスマイナス２２．５度程度あることが望ましい。
【００３７】
（５）グリップの位置
図５（ａ）（ｄ）は、良好な操作感が得られる状態を例示している。下方に向けて身体から離れる方向にグリップ５１が傾斜するので、このグリップ５１をＡ方向に押し出す際の手首と肘と腕の角度が自然な状態になるからである。
しかしながら、グリップ５１をＡ方向に押し出す際の手首と肘と腕の角度が自然な状態になるという条件を満たすためには、グリップ５１の高さが重要である。高すぎたり低すぎたりすると、この条件を満足しなくなってしまうからである。
ではどのような状態であれば、グリップ５１をＡ方向に押し出す際の手首と肘と腕の角度が自然な状態になるのでろうか。
試行錯誤したところ、図３に示すように、ローラ１１の軸１４の位置で第１の仮想直線Ｌ１と直交する線Ｌ３上にグリップ５１を配置すれば、グリップ５１をＡ方向に押し出す際の手首と肘と腕の角度が自然な状態になることがわかった。
【００３８】
（６）第１の仮想直線と第２の仮想直線との意義
ローラ支持部３４が本実施の形態のマッサージ器１のように直線的でない場合、第１の仮想直線Ｌ１をどのように解釈すべきなのか。
グリップ５１の位置でアーム３１が屈曲しているような場合、第２の仮想直線Ｌ２をどのように解釈すべきなのか。
ここではこれらの問題について説明する。
【００３９】
（ａ）第１の仮想直線
前述したとおり、第１の仮想直線Ｌ１は、ローラ１１の回転軸である軸１４からアーム３１が延びる方向に沿った仮想的な線である。
図６及び図７に例示すように、ローラ支持部３４が湾曲している場合を想定する。
図６はローラ支持部３４がアーム３１の湾曲方向と同一方向に湾曲している一例を示し、図７はローラ支持部３４がアーム３１の湾曲方向に対して反った方向に湾曲している一例を示している。
このような場合、ローラ１１の軸１４からアーム３１が延びる方向とは、いかなる方向を意味するのであろうか。
【００４０】
この点、「ローラ１１の回転軸である軸１４から」延びるのであるから、軸１４の間際からアーム３１が延びる方向が第１の仮想直線Ｌ１の方向であるといえる（図６及び図７参照）。
何故ならば、第１の仮想直線Ｌ１において重要なことは、この第１の仮想直線Ｌ１が背中Ｂに対して平行であれば、ローラ１１が転がりにくいからである（図４（ａ）参照）。
つまり第１の仮想直線Ｌ１という概念は、一面において、ローラ１１を転がりにくくするという目的を達成するために、背中Ｂとの角度を規定する意味で導入している。とすると、ローラ支持部３４が湾曲している場合には、ローラ１１の軸１４の間際からアーム３１が延びる方向に沿った直線をこそ、第１の仮想直線Ｌ１として把握すべきことになるのである。
【００４１】
（ｂ）第２の仮想直線
前述したとおり、第２の仮想直線Ｌ２は、グリップ５１の位置でのアーム３１の中心軸を含む仮想的な直線である。
図６及び図７に例示するように、グリップ５１の位置でアーム３１が屈曲している場合を想定する。
図６はアーム３１の湾曲方向の内側にグリップ５１が屈曲している一例を示し、図７はアーム３１の湾曲方向に対して反った方向にグリップ５１が屈曲している一例を示している。これに加えて図７に示す一例では、グリップ５１がボール形状に形成されている。図６及び図７とも、アーム３１の屈曲形状を示すために、グリップ５１の部分を断面にしている。
このような場合、グリップ５１の位置でのアーム３１の中心軸とは、いかなる軸を意味するのであろうか。
【００４２】
この点、図５（ａ）〜（ｄ）に示すように、アーム３１の屈曲部３２を肩Ｓに掛けるようにしてローラ１１を背中Ｂに押し当てた状態でグリップ５１を握った際、人間の骨格上、親指が胸に近い側、その他の指が胸から遠い側に位置付けられることになる。アーム３１及びグリップ５１は、このような人間の手の形を実現させる部分なのである。
アーム３１は、こうしてグリップ５１を握った手において、親指と人差し指との間からほぼ垂直に立ち上がる。したがってグリップ５１の位置でのアーム３１の中心軸という概念は、グリップ５１を握った手において、親指と人差し指との間からほぼ垂直に立ち上がる軸を意味する（図６及び図７参照）。
図６及び図７に示す一例では、グリップ５１の位置でアーム３１が直線形状に形成されているので、グリップ５１の位置でのアーム３１の中心軸はアーム３１に沿った軸となり、具象的で観念しやすい。
これに対してグリップ５１の位置でアーム３１が屈曲しているときには、どこがグリップ５１の位置でのアーム３１の中心軸なのかを判別しにくい。
そこでこの場合には、グリップ５１を握った手において、親指と人差し指との間からほぼ垂直に立ち上がる軸を想定し、これをグリップ５１の位置でのアーム３１の中心軸として認識すればよい。
【００４３】
（７）各部の理想的な配置条件
以上の事象より、使用者が自ら自分の背中Ｂを指圧マッサージする場合のマッサージ器１に求められる各部の条件は、次のとおりであることが判明した（図３参照）。
（条件１）
第１の仮想直線Ｌ１に対して第２の仮想直線Ｌ２がなす角度を０度よりも大きく９０度よりも小さい角度にする。
理想的には、４５度プラスマイナス２２．５度程度が望ましい。
アーム３１は弾性変形するところ、このような数値範囲は、使用限界までアーム３１が変形した状態で満足する必要がある。
（条件２）
第１の仮想直線Ｌ１を含む面と平行な面上でローラ１１の外周面をアーム３１よりも屈曲部３２の内側方向に位置付ける。
（条件３）
ローラ１１の軸１４の位置で第１の仮想直線Ｌ１と直交する線Ｌ３上にグリップ５１を配置する。
【００４４】
本実施の形態のマッサージ器１は、上記条件１〜３をすべて満足している。
【００４５】
３．作用効果
本実施の形態のマッサージ器１は、使用者が自ら自分の背中に指圧マッサージを施す機器としても、ローリングマッサージを施す機器としても機能する。
自分の背中を指圧マッサージする場合、片手でグリップ５１を握り、背中Ｂにローラ１１を押し当てる（図４（ａ）、図５（ａ）参照）。このとき第１の仮想直線Ｌ１が背中Ｂと平行になるようにする。ローラ１１が背中Ｂを転がらなければ、第１の仮想直線Ｌ１は背中Ｂと平行である。
そこでこの状態のまま、グリップ５１をＡ方向に押し出す。すると背中Ｂにローラ１１が押し付けられ、ローラ１１は指圧子として機能する。つまり使用者は自ら自分の背中に指圧マッサージを施すことができるわけである。
自分の背中をローリングマッサージする場合には、指圧マッサージのときと同じ姿勢のままグリップ５１を上下動させればよい。これによってローラ１１が背中Ｂを転がり、使用者は自ら自分の背中にローリングマッサージを施すことができる。
【００４６】
以上、使用者が自ら自分の背中Ｂに指圧マッサージを施したりローリングマッサージを施したりする事例を説明した。
これに対して、身体の他の部位に対して指圧マッサージやローリングマッサージを施すこともできるし、他人に対してそのような二種類のマッサージを施すことも可能である。
またグリップ５１を掴んでローラ１１で肩Ｓを叩けば、肩叩きを行うこともできる。反対にローラ１１を掴んでグリップ５１で肩Ｓを叩いての肩叩きも可能である。
さらにはクリーム状やオイル状になった各種の化粧剤や薬剤をローラ１１に塗り、この状態でローリングマーサージを行えば、それらの化粧剤や薬剤を皮膚に塗布することができる。この際、ローラ１１の外周面に形成された凹凸部１５の溝１５ｂに化粧剤や薬剤が保持されるので、化粧剤や薬剤の皮膚への塗布がより効率的に行われる。
【００４７】
またアーム３１は、少なくとも屈曲部３２の位置に弾性を有している。
したがって身体にローラ１１を押し付けた際、弾性変形したアーム３１は復元しようとするので、より小さな力で指圧部位に対する指圧子としてのローラ１１の押し付け力を増大させることができ、指圧効果と操作感とをより一層高めることができる。
【００４８】
また本実施の形態のマッサージ器１は、上記条件１〜３の三条件をいずれも満たしているので、良好な作業性のもとで、使用者は自分の身体に指圧マッサージとローリングマッサージとを不都合なく確実に施すことができる。
【００４９】
さらにローラ１１はその表面に凹凸部１５（突条１５ａと溝１５ｂ）を有しているので、クリーム状やオイル状になった各種の化粧剤や薬剤を確実かつ十分に保持できるばかりでなく、指圧マッサージや肩叩きに際して、突条１５ａにより効果的に径穴（つぼ）を刺激させることができる。
【００５０】
４．変形例
実施に際しては、各種の変形や変更が可能である。
例えばアーム３１は、湾曲形状ではなく、直線状に屈曲する形状であってもよい。
またアーム３１は、アーム基体３３とローラ支持部３４とが別体で形成されずに一体で形成されていてもよい。
グリップ５１には肩叩き用のボールが固定されていてもよい。
その他、あらゆる変形や変更が許容される。
【符号の説明】
【００５１】
１  ・・・ローラ
１４  ・・・軸（回転軸）
１５  ・・・凹凸部
１５ａ・・・突条
１５ｂ・・・溝
３１  ・・・アーム
３２  ・・・屈曲部
５１  ・・・グリップ
Ｌ１  ・・・第１の仮想直線
Ｌ２  ・・・第２の仮想直線
Ｌ３  ・・・第１の仮想直線と直交する線
Ｓ    ・・・肩
【図１】
0003202982.tif 000003
【図２】
0003202982.tif 000004
【図３】
0003202982.tif 000005
【図４】
0003202982.tif 000006
【図５】
0003202982.tif 000007
【図６】
0003202982.tif 000008
【図７】
0003202982.tif 000009